(57)【要約】 【課題】排尿障害や便漏れ等の従来の治療器は、複雑で取り扱いが簡便でないと共に、高価であった。そこで、取り扱いが簡便で安全で、患者に不快感を与えない電気刺激治療器を提供すること。【解決手段】骨盤部内及びその周辺部に電気刺激を与える電気刺激治療器用の電極であって、該電極は、腰周りの任意の箇所に接触させて用いる他方の電極と組み合わせて、肛門内又は膣内に挿入して用いられる導電性棒状電極であり、両電極間に高周波、中周波、干渉波、低周波、又は微弱電流を印加する電極として用いられることを特徴とする電気刺激治療器用の電極。該棒状電極の材質はカーボンが好ましい。  【選択図】  図１
0003125942.tif 000002
【実用新案登録請求の範囲】
【請求項１】
骨盤部内及びその周辺部に電気刺激を与える電気刺激治療器用の電極であって、該電極は
、腰周りの任意の箇所に接触させて用いる他方の電極と組み合わせて、肛門内又は膣内に
挿入して用いられる導電性棒状電極であり、両電極間に高周波、中周波、干渉波、低周波
、又は微弱電流を印加する電極として用いられることを特徴とする電気刺激治療器用の電
極。
【請求項２】
該棒状電極の挿入方向の後端部が接続部により電線に接続されてなり、該後端部側に円盤
状の挿入ストッパーがはめ込み固定されていることを特徴とする請求項１記載の電気刺激
治療器用の電極。
【請求項３】
該棒状電極の挿入方向の後端部が接続部により電線に接続されてなり、該後端部側に該棒
状電極の軸方向と直角方向に補助電極が設けられていることを特徴とする請求項１記載の
電気刺激治療器用の電極。
【請求項４】
該棒状電極は直径４〜１０ｍｍ、長さ４０〜１００ｍｍであることを特徴とする請求項１
〜３のいずれかに記載の電気刺激治療器用の電極。
【請求項５】
該棒状電極がカーボンソリッド丸棒であることを特徴とする請求項１〜４のいずれかに記
載の電気刺激治療器用の電極。
【請求項６】
腰周りの任意の箇所に接触させて用いる電極の数が２個以上であることを特徴とする請求
項１〜５のいずれかに記載の電気刺激治療器用の電極。
【請求項７】
腰周りの任意の箇所に接触させて用いる電極が導電性バンドであることを特徴とする請求
項１〜６のいずれかに記載の電気刺激治療器用の電極。
【考案の詳細な説明】
【技術分野】
【０００１】
本考案は、骨盤内部及びその周辺部に電気刺激を与えて、神経、血管、筋肉の活性を高
めるための電気刺激治療器用電極に関する。
【背景技術】
【０００２】
出産や老齢化に伴う骨盤底筋群の劣化などによる排尿障害や肛門の内括筋や外括筋の衰
えによる便もれ等の症状を持つ患者の増大が深刻な社会問題となってきている。
【０００３】
尿漏れ、生理痛、不感症、冷え性、頻尿、前立腺肥大、肛門括約筋の緩み等を治療する
方法としては、従来、例えば、前立腺肥大の治療法に温熱療法というものがある。これは
、４０℃から６０℃の温度になる端子（プローブ）を肛門から挿入して前立腺の位置に置
いて、温度を上げると前立腺肥大が治るというものであるが、電流を流すものではない。
肛門にパルス電圧による電気刺激を与える治療器や、膣や肛門に電気刺激を与えて失禁や
便漏れ、その他の神経筋障害を治療する機器（特許文献１、２）や骨盤部表面刺激電極を
装着する下着（特許文献３）も知られている。
【０００４】
身体に電気刺激を与える器具としては、上記のような治療器の他に、従来から美容器具
や健康器具が知られている。人間の体内には１００〜２００μＡ（マイクロアンペア）の
生体電流が流れており、この生体電流と同じレベルのマイクロアンペアといわれる１ミリ
アンペア未満の微弱電流を身体表面に流し、皮膚細胞レベルでの微弱電流刺激を行なうも
のである。これらの器具では、皮膚表面に貼り付けるか押し当てるパッド状の電極が用い
られている。しかしながら、上記のような骨盤内部及びその周辺部に電気刺激を与えるよ
うなものではなかった。  
【０００５】
【特許文献１】特表平８−５０１９４６号公報
【特許文献２】特開２００５−１３７４３８号公報
【特許文献３】特開２００２−２００１７８号公報
【考案の開示】
【考案が解決しようとする課題】
【０００６】
排尿障害や便漏れ等の従来の治療器は、複雑で取り扱いが簡便でないと共に、高価であ
った。本考案は、取り扱いが簡便で安全で、患者に不快感を与えない電気刺激治療器を提
供することを課題とする。    
【課題を解決するための手段】
【０００７】
本考案者は、上記課題を解決し、新しい治療技術を普及させる電気刺激治療器として非
常に有効である電極構造を見出した。
【０００８】
すなわち、本考案は、（１）骨盤部内及びその周辺部に電気刺激を与える電気刺激治療
器用の電極であって、該電極は、腰周りの任意の箇所に接触させて用いる他方の電極と組
み合わせて、肛門内又は膣内に挿入して用いられる導電性棒状電極であり、両電極間に高
周波、中周波、干渉波、低周波、又は微弱電流を印加する電極として用いられることを特
徴とする電気刺激治療器用の電極、である。
【０００９】
また、本考案は、（２）該棒状電極の挿入方向の後端部が接続部により電線に接続され
てなり、該後端部側に円盤状の挿入ストッパーがはめ込み固定されていることを特徴とす
る上記（１）の電気刺激治療器用の電極、である。
【００１０】
また、本考案は、（３）該棒状電極の挿入方向の後端部が接続部により電線に接続され
てなり、該後端部側に該棒状電極の軸方向と直角方向に補助電極が設けられていることを
特徴とする上記（１）の電気刺激治療器用の電極、である。
【００１１】
また、本考案は、（４）該棒状電極は直径４〜１０ｍｍ、長さ４０〜１００ｍｍである
ことを特徴とする上記（１）〜（３）のいずれかに記載の電気刺激治療器用の電極、であ
る。
【００１２】
また、本考案は、（５）該棒状電極がカーボンソリッド丸棒であることを特徴とする上
記（１）〜（４）のいずれかに記載の電気刺激治療器用の電極、である。
【００１３】
また、本考案は、（６）腰周りの任意の箇所に接触させて用いる電極の数が２個以上で
あることを特徴とする上記（１）〜（５）のいずれかに記載の電気刺激治療器用の電極、
である。
【００１４】
また、本考案は、（７）腰周りの任意の箇所に接触させて用いる電極が導電性バンドで
あることを特徴とする上記（１）〜（６）のいずれかに記載の電気刺激治療器用の電極、
である。
【００１５】
本考案者は、従来、美容器具や健康器具として用いられているマイクロアンペア治療器
を排尿障害や便漏れ等の電気刺激治療に応用する可能性を追求してきたが、従来、一般に
用いられるジェルパッドや通電性があるパッドを腰周りに用いても、電気刺激による治療
効果は得られなかった。
【００１６】
そこで、本考案者は、腰周りの任意の箇所に接触させて用いる一方の電極と組み合わせ
て、肛門内又は膣内に挿入して用いられる電極を考案し、この電極により、両電極間に高
周波、中周波、干渉波、低周波、又は微弱電流を印加するようにしたところ顕著な治療効
果が得られることを見出した。また、様々な電極形状や材質について、実験研究を重ねた
ところカーボンの棒状電極が特に好ましいことを見出した。カーボンは通電性が良い物質
であることは知られているが、人体と直に接触させたり、体内に挿入したりする電極材と
してはこれまで例がなかった。
【考案の効果】
【００１７】
本考案の棒状電極により、骨盤内部及びその周辺部を電気刺激して、神経、血管、筋肉
の活性を高めることができ、これにより、尿漏れ、生理痛、不感症、冷え性、頻尿、前立
腺肥大、肛門括約筋の緩み等を効果的に治療することができる。患者自ら使用することが
容易であり、簡便で安全に不快感をもたずに操作できる。また、従来の美容器具や健康器
具の装置を用いて電極を本発明の電極に取り替えるだけで実施できるので、簡便で安価な
治療手段を提供できる。
【考案を実施するための最良の形態】
【００１８】
本考案の棒状電極は、肛門又は膣内に挿入され、電気刺激のための電流を体内に発生さ
せるためのプラス又はマイナスの電極として用いられる。他方のマイナス又はプラスの電
極としては、通常、パット状の電極や帯状の導電性バンドからなる電極を、腹、尻など腰
周りの表面の適宜の箇所に張り付けたり、巻いたりして使用する。電源としては、従来公
知の微弱電流を用いる美容器具や健康器具の電源を用いることができるが、低周波から高
周波を発生させるその他の機器を使用してもよい。
【００１９】
電源に両電極を接続して電流を流して肛門又は膣周囲の組織に直接電気刺激を与える。
他方の電極を複数にして腰周り全体に張り付ければ、骨盤全体にまんべんなく電気刺激が
伝わる。この電極の使用方法としては、患者の肛門又は膣にこの電極を挿入して、例えば
、一回の治療で微弱電流を約１０分、さらに干渉波電流を約１０分流すというような使い
方が例示される。
【００２０】
肛門又は膣内に挿入する電極部分は細長い棒状電極を用いる。勿論、断面が完全に真円
の棒状電極でなくてもよく、多角形状や多少楕円状でも構わないが、製造コストや取り扱
いの容易さからは丸棒状が好ましい。直径１〜３ｍｍ程度の細いカーボン丸棒を２〜１０
本程度束ねて一本の電極としてもよい。また、直線状に限らず、中央部が膨らんだ形状や
、凹凸などの変形形態や表面に模様などを形成したものでも構わない。
【００２１】
棒状電極の材質としては、金、銀、銅、アルミニウムなどの導電性金属やそれらの合金
、導電ゴム、導電シリコーン、フェライト樹脂、セラミックスなどが挙げられるが、カー
ボンが最も好ましい。カーボンとしては、ガラス状カーボン、黒鉛粉、粒状炭素糊、炭素
ナノチューブなどを樹脂で固めたカーボン電極があるが、カーボンソリッド（中実）丸棒
が特に好ましい。この素材は、導電性が非常に優れているのみならず、軽くて硬い特徴が
あり、容易に割れず、安全性が高く、他の導電性の良い金属に比べて熱を持ちにくく、火
傷の心配がない。また、腐蝕や錆びに関しても金属より勝っている。衛生面でも、特定個
人専用として使用するならば、厳重な滅菌手段は必要ではなく、アルコール綿で拭くだけ
の消毒程度で繰り返しの使用ができる。
【００２２】
これまで、電極パッドとしてカーボン繊維を利用したものはあるが、中実のカーボン棒
状体を電極として用いた例はない。カーボンは通電性が良い物質であり、棒状電極である
ため、肛門又は膣内に挿入するとその全周面が広い通電面として作用する。また、カーボ
ンは、硬く、丈夫であり、人体に無害で、通電しても熱が出ないので火傷の危険性がない
。カーボンは、黒色であり、医療機器としては特異な色であるが、電極表面の一部又は全
体を導電性を損なわず、人体に無害である金、銀などでメッキして審美的な色彩としても
よい。
【００２３】
図１は、本考案の第一の実施形態を示し、肛門内に挿入して使用する棒状電極の側面図
である。電極部分は、好ましくは直径４〜１０ｍｍ程度、長さ４０〜１００ｍｍ程度の細
長い棒状電極１からなり、棒状電極１の挿入方向の後端部を接続部２により電線３に接続
してコネクタ４を介して電源７（図３参照）に接続する。電極と電線の接続は半田付けや
ネジ、クリップなどを用いた通常の電気接続手段を採用できる。また、表面は電気絶縁材
で被覆することが望ましい。棒状電極１の後端側には、シリコーン樹脂やゴムなどの材料
からなる円盤状の挿入ストッパー５をはめ込み固定する。
【００２４】
図２は、本考案の第二の実施形態を示し、膣内に挿入して使用する棒状電極の側面図で
ある。電極部分は、好ましくは直径４〜１０ｍｍ程度、長さ４０〜１００ｍｍ程度の細長
い棒状電極１Ａと、棒状電極１Ａの挿入方向の後端部に挿入方向と直角方向に設けた短い
補助電極１Ｂとからなる。補助電極１Ｂは棒状電極１Ａと同じ材料で直径も同程度でよい
。補助電極１Ｂの長さは、棒状電極１Ａの１／２〜１／３程度でよい。
【００２５】
細長い棒状電極１Ａと補助電極１Ｂとは、棒状電極材をＬ字型に一体成型するか、銅な
どの金属やプラスチックス等の固定部材６で細長い棒状電極１Ａと補助電極１ＢをＬ字型
に固定する。細長い棒状電極１Ａは軸方向に膣内に挿入し、補助電極１Ｂは恥骨部に当て
て通電する。こうすることにより、膣内と外陰部に同時に通電できるので電気刺激を与え
る領域を広げることができる。棒状電極１Ａの挿入方向の後端部を接続部２により電線３
に接続してコネクタ４を介して電源７（図３参照）に接続する。
【００２６】
本考案の棒状電極は、高周波、中周波、干渉波、低周波、又は微弱電流など全ての波長
の治療機械に使用できる。例えば、微弱電流は、表面の浅い部分の細胞に刺激を与え、細
胞を活性化する。低周波は浅いところにある筋肉に刺激を与え、筋肉の収縮を起こさせ、
筋肉が軽く運動したのと同じ効果を表す。中周波は低周波よりもう少し深いところの筋肉
に刺激を与えることができる。干渉波は、筋肉に複雑な刺激を与えるので筋肉が刺激に慣
れにくいという利点がある。高周波の場合は熱を発生するので、症例によっては有用な場
合がある。特に、干渉波は、２つ以上の異なる周波数の電流を干渉させたものであり、患
部にその周波数の差に相当する干渉波電流を発生させ、その刺激を利用するものであり、
効果的である。
【００２７】
図３は、本考案の棒状電極を使用する態様を示す概念図である。本考案の電極は、肛門
又は膣に挿入し、電源７のプラス又はマイナスに接続し、他方の電極８を腹及び又は尻な
ど骨盤を囲む腰周りに一個以上貼り付けたり、押し付けたりした状態で電源７から電流を
流す。他方の電極８としては、ジェルパッドや通電性のあるパッドやバンドなどを使用で
きる。電源７として用いる電流発生装置は市販されている美容器、健康器具で使用されて
いるものを使用できる。
【００２８】
本考案の棒状電極を用いることにより肛門又は膣周囲の組織が直接電気刺激を受け易い
ので、皮膚に電極を貼り付けるよりも効果が強く表れるという利点がある。体に貼り付け
る他方の電極８の数を増やして腰周り全体に貼り付ければ、肛門又は膣の中の一本の電極
から骨盤内部及びその周辺部全体に満遍なく電気刺激が伝わる。
【産業上の利用可能性】
【００２９】
本考案は、骨盤内部及びその周辺部に電気刺激を与えて、神経、血管、筋肉の活性を高
めるための電流を発生させるための電気刺激治療器用電極として、患者自身でも使用でき
る簡便な機器として使用できる。本考案の電極は、排尿障害や便漏れの他、生理痛、不感
症、冷え性、前立腺肥大等の新しい治療技術の普及に貢献できる。 
【図面の簡単な説明】
【００３０】
【図１】本考案の第一の実施形態を示す側面図である。
【図２】本考案の第二の実施形態を示す側面図である。
【図３】本考案の電極を使用する態様を示す概念図である。
【符号の説明】
【００３１】
１，１Ａ  棒状電極
１Ｂ  補助電極
２  接続部
３  電線
４  コネクタ
５  ストッパー
６  固定部材
７  電源
８  他方の電極
【図１】
0003125942.tif 000003
【図２】
0003125942.tif 000004
【図３】
0003125942.tif 000005